(57)【要約】【課題】  入力映像信号に応じて適応的に色域を変更するディスプレイ装置を提供する。【解決手段】  本発明のディスプレイ装置は、映像信号を入力する入力部と、入力された映像信号を表示する表示パネル部と、入力された映像信号の色域を判断する判断部と、判断された色域に基づいて表示パネル部の色域を調整する調整部と、調整された表示パネル部の色域で映像信号が表示されるように、表示パネルを制御する制御部とを含む。【選択図】  図１
2013140353.tif 000002
【特許請求の範囲】
【請求項１】
ディスプレイ装置において、
映像信号を入力する入力部と、
前記入力された映像信号を表示する表示パネル部と、
前記入力された映像信号の色域を判断する判断部と、
前記判断された色域に基づいて表示パネル部の色域を調整する調整部と、
前記調整された表示パネル部の色域で前記映像信号が表示されるように、前記表示パネルを制御する制御部と、
を含むディスプレイ装置。
【請求項２】
前記判断部は、
前記映像信号のフォーマット名称及び前記映像信号の色標準情報の少なくとも何れか一つの情報に基づいて、前記入力された映像信号の色域を判断する、
ことを特徴とする請求項１に記載のディスプレイ装置。
【請求項３】
前記判断部は、
前記映像信号を提供するデバイスの装置情報に基づいて色域を判断する、
ことを特徴とする請求項１に記載のディスプレイ装置。
【請求項４】
前記判断部は、
前記映像信号を提供するデバイスが変更されると、前記デバイスから提供する映像信号の色域を判断する、
ことを特徴とする請求項１乃至３の何れか一項に記載のディスプレイ装置。
【請求項５】
前記調整部は、
前記判断された色域が、前記表示パネル部がサポートする色域内にある場合、前記表示パネル部の色域を前記判断された色域に調整する、
ことを特徴とする請求項１乃至４の何れか一項に記載のディスプレイ装置。
【請求項６】
前記表示パネル部は、
前記判断された色域及び前記表示パネル部の色域を表示し、
前記ディスプレイ装置は、
前記映像信号の色域を設定される操作部を更に含み、
前記調整部は、
前記設定された色域を前記表示パネル部の色域を調整する、
ことを特徴とする請求項１乃至５の何れか一項に記載のディスプレイ装置。
【請求項７】
前記表示パネル部は、
前記判断された色域及び前記表示パネル部の色域を表示する第１領域、現在の表示パネル部の色域によるプレビューイメージを表示する第２領域、及び調整された色域による第２プレビューイメージを表示する第３領域を含むユーザインターフェースウィンドウを表示する、
ことを特徴とする請求項１乃至６の何れか一項に記載のディスプレイ装置。
【請求項８】
前記ユーザインターフェースウィンドウは、
前記映像信号に対する情報を表示する第４領域を更に含む、
ことを特徴とする請求項７に記載のディスプレイ装置。
【請求項９】
前記入力された映像信号を前記調整された表示パネル部の色域に色相補正する映像補正部を更に含み、
前記表示パネル部は、前記色相補正された映像信号を表示する、
ことを特徴とする請求項１乃至８の何れか一項に記載のディスプレイ装置。
【請求項１０】
前記表示パネル部は、ＯＬＥＤ（Ｏｒｇａｎｉｃ  Ｌｉｇｈｔ  Ｅｍｉｔｔｉｎｇ  Ｄｉｏｄｅｓ）パネルである、
ことを特徴とする請求項１乃至９の何れか一項に記載のディスプレイ装置。
【請求項１１】
表示パネルを利用した映像表示方法において、
映像信号を入力するステップと、
前記入力された映像信号の色域を判断するステップと、
前記判断された色域に基づいて前記表示パネルの色域を調整するステップと、
前記調整された表示パネルの色域で前記映像信号を表示するステップと、
を含む映像表示方法。
【請求項１２】
前記判断するステップは、
前記映像信号のフォーマット名称及び前記映像信号のカラー標準情報の少なくとも何れか一つの情報に基づいて、前記入力された映像信号の色域を判断する、
ことを特徴とする請求項１１に記載の映像表示方法。
【請求項１３】
前記判断された色域及び前記表示パネルの色域を表示するステップと、
前記映像信号の色域を設定されるステップとを更に含み、
前記色域を調整するステップは、
前記設定された色域を前記表示パネルの色域を調整する、
ことを特徴とする請求項１１又は１２に記載の映像表示方法。
【請求項１４】
前記色域を表示するステップは、
前記判断された色域及び前記表示パネルの色域を表示する第１領域、現在の表示パネルの色域によるプレビューイメージを表示する第２領域、及び調整された色域による第２プレビューイメージを表示する第３領域を含むユーザインターフェースウィンドウを表示する、
ことを特徴とする請求項１１乃至１３の何れか一項に記載の映像表示方法。
【請求項１５】
前記ユーザインターフェースウィンドウは、前記映像信号に対する情報を表示する第４領域を更に含む、
ことを特徴とする請求項１４に記載の映像表示方法。
【発明の詳細な説明】
【技術分野】
【０００１】
本発明は、ディスプレイ装置及び映像表示方法に関し、より詳細には、入力された映像信号の色域に応じて適応的に表示パネルで表示される映像信号の色域を調整することができるディスプレイ装置及び映像表示方法に関する。
【背景技術】
【０００２】
ディスプレイ装置は、外部から受信されたデジタル又はアナログ映像信号、又は内部の記憶装置に多様なフォーマットの圧縮ファイルで記憶された多様な映像信号等が処理されて表示されるようにする装置である。
【０００３】
最近のディスプレイ装置は、多様な装置から映像信号を受信してよく、提供された映像信号を表示することができる。しかし、従来のディスプレイ装置は、ディスプレイ装置に設定されたデフォルト色域内においてのみ、入力された映像信号を表示していた。
【０００４】
具体的に、従来のディスプレイ装置は、入力された映像信号がデフォルト色域より広い色域を有する場合にも、入力された映像信号をデフォルトの色域内で表示していた。例えば、放送信号より広い色域を有する映像信号が入力され、ディスプレイ装置が入力された映像信号の色域をサポートすることができるにもかかわらず、デフォルトで設定された色域内で入力された映像信号を表示している。
【先行技術文献】
【特許文献】
【０００５】
【特許文献１】米国特開第２０１１−０１３４４４９号公報
【発明の概要】
【発明が解決しようとする課題】
【０００６】
そこで、本発明は、上記問題に鑑みてなされたものであり、本発明の目的とするところは、入力された映像信号の色域に応じて適応的に表示パネルで表示される映像信号の色域を調整することができるディスプレイ装置及び映像表示方法に関する。
【課題を解決するための手段】
【０００７】
上述の目的を達成するための本発明の一実施形態に係るディスプレイ装置は、映像信号を入力する入力部と、前記入力された映像信号を表示する表示パネル部と、前記入力された映像信号の色域（ｃｏｌｏｒ  ｇａｍｕｔ）を判断する判断部と、前記判断された色域に基づいて表示パネル部の色域を調整する調整部と、前記調整された表示パネル部の色域で前記映像信号が表示されるように、前記表示パネルを制御する制御部とを含む。
【０００８】
この場合、前記判断部は、前記映像信号のフォーマット名称及び前記映像信号のカラー標準情報の少なくとも何れか一つの情報に基づいて、前記入力された映像信号の色域を判断してよい。
【０００９】
ここで、前記判断部は、前記映像信号を提供するデバイスの装置情報に基づいて色域を判断してよい。
【００１０】
一方、前記判断部は、映像信号を提供するデバイスが変更されると、前記デバイスから提供する映像信号の色域を判断してよい。
【００１１】
一方、前記調整部は、前記判断された色域が、前記表示パネル部のサポートする色域内にある場合、前記表示パネル部の色域を前記判断された色域に調整することが望ましい。
【００１２】
一方、前記表示パネル部は、前記判断された色域及び前記表示パネル部の色域を表示し、前記ディスプレイ装置は、前記映像信号の色域を設定される操作部を更に含み、前記調整部は、前記設定された色域を前記表示パネル部の色域に調整してよい。
【００１３】
この場合、前記表示パネル部は、前記判断された色域及び前記表示パネル部の色域を表示する第１領域と、現在の表示パネル部の色域によるプレビューイメージを表示する第２領域、及び調整された色域による第２プレビューイメージを表示する第３領域を含むユーザインターフェースウィンドウを表示してよい。
【００１４】
この場合、前記ユーザインターフェースウィンドウは、前記映像信号に対する情報を表示する第４領域を更に含んでよい。
【００１５】
一方、本ディスプレイ装置は、前記入力された映像信号を前記調整された表示パネル部の色域に色相補正する映像補正部を更に含み、前記表示パネル部は、前記色相補正された映像信号を表示してよい。
【００１６】
一方、前記表示パネル部は、ＯＬＥＤ（Ｏｒｇａｎｉｃ  Ｌｉｇｈｔ  Ｅｍｉｔｔｉｎｇ  Ｄｉｏｄｅｓ）パネルであってよい。
【００１７】
一方、本実施形態に係る表示パネルを利用した映像表示方法は、映像信号を入力するステップと、前記入力された映像信号の色域（ｃｏｌｏｒ  ｇａｍｕｔ）を判断するステップと、前記判断された色域に基づいて前記表示パネルの色域を調整するステップと、前記調整された表示パネルの色域で前記映像信号を表示するステップとを含む。
【００１８】
この場合、前記判断するステップは、前記映像信号のフォーマット名称及び前記映像信号の色標準情報の少なくとも何れか一つの情報に基づいて、前記入力された映像信号の色域を判断してよい。
【００１９】
一方、前記判断するステップは、前記映像信号を提供するデバイスの装置情報に基づいて色域を判断してよい。
【００２０】
一方、前記判断するステップは、映像信号を提供するデバイスが変更されると、前記デバイスから提供する映像信号の色域を判断してよい。
【００２１】
一方、前記色域を調整するステップは、前記判断された色域が、前記表示パネルのサポートする色域内にある場合、前記表示パネルの色域を前記判断された色域に調整することが望ましい。
【００２２】
一方、本映像表示方法は、前記判断された色域及び前記表示パネルの色域を表示するステップと、前記映像信号の色域を設定されるステップとを更に含み、前記色域を調整するステップは、前記設定された色域を前記表示パネルの色域を調整してよい。
【００２３】
この場合、前記色域を表示するステップは、前記判断された色域及び前記表示パネルの色域を表示する第１領域と、現在の表示パネルの色域によるプレビューイメージを表示する第２領域、及び調整された色域による第２プレビューイメージを表示する第３領域を含むユーザインターフェースウィンドウを表示してよい。
【００２４】
この場合、前記ユーザインターフェースウィンドウは、前記映像信号に対する情報を表示する第４領域を更に含んでよい。
【００２５】
一方、前記映像信号を表示するステップは、前記入力された映像信号を前記調整された表示パネルの色域に色相補正し、前記色相補正された映像信号を表示してよい。
【００２６】
一方、前記表示パネルは、ＯＬＥＤ（Ｏｒｇａｎｉｃ  Ｌｉｇｈｔ  Ｅｍｉｔｔｉｎｇ  Ｄｉｏｄｅｓ）パネルであってよい。
【発明の効果】
【００２７】
以上説明したように、本発明によれば、ディスプレイ装置１００は入力された映像信号に応じて適応的にディスプレイ装置１００の色域を変更することができるため、映像信号の種類別に最適の画質を提供することができる。なお、ユーザはＲＧＢ数値を調節するのではなく、ディスプレイ装置の色域を直接調整することができるため、ユーザの利便性を向上することができる。
【図面の簡単な説明】
【００２８】
【図１】本発明の一実施形態に係るディスプレイ装置の概略構成を示すブロック図である。
【図２】本発明の一実施形態に係るディスプレイ装置の動作を説明するための図である。
【図３】図１の映像補正部の動作を説明するための図である。
【図４】図１の映像補正部の動作を説明するための図である。
【図５】本発明の一実施形態に係るユーザインターフェースウィンドウの例を示す図である。
【図６】本発明の一実施形態に係る映像表示方法を説明するためのフローチャートである。
【発明を実施するための形態】
【００２９】
以下に添付図面を参照しながら、本発明の好適な実施形態について詳細に説明する。
【００３０】
図１は、本発明の一実施形態に係るディスプレイ装置の概略構成を示すブロック図である。
【００３１】
図１を参照すると、本実施形態に係るディスプレイ装置１００は、信号入力部１１０と、表示パネル部１２０と、操作部１３０と、判断部１４０と、調整部１５０と、映像補正部１６０及び制御部１７０で構成される。
【００３２】
信号入力部１１０には、映像信号が入力される。具体的に、信号入力部１１０は、外部映像提供装置から映像信号を受信する。ここで、映像信号は、放送局又は衛星から有線又は無線で伝達される放送信号であり、ＤＶＤプレーヤやブルーレイプレーヤ等からＨＤＭＩケーブルやＡＶ端子等を通じて伝達される映像コンテンツであり、携帯電話やコンピュータ等からＵＳＢ端子等を通じて伝達される映像コンテンツである。
【００３３】
表示パネル部１２０は、入力された映像信号を表示する。具体的に、表示パネル部１２０は、信号入力部１１０を介して受信された映像信号を直ちに表示したり、後述の映像補正部１６０において色相補正された映像信号を表示することができる。このような表示パネル部１２０は、ＬＣＤパネルやＯＬＥＤパネル等である場合がある。
【００３４】
そして、表示パネル部１２０は、ディスプレイ装置１００から提供する各種情報を表示することができる。具体的に、表示パネル部１２０は、ディスプレイ装置１００に設定された色域及び入力された映像信号の色域を表示することができ、入力された映像信号に適用される色域が設定されるためのユーザインターフェースウィンドウを表示することができる。ユーザインターフェースウィンドウの具体的な形状について、図５を参照して説明する。
【００３５】
操作部１３０は、ディスプレイ装置１００からサポートする各種機能をユーザ設定又は選択できる複数の機能キーを備える。そして、操作部１３０には、ディスプレイ装置１００に設定された色域が調整される。即ち、操作部１３０には、現在入力された映像信号に適用される色域が設定される。本実施形態においては、表示パネル部１２０及び操作部１３０が別途の構成であるとして示して説明しているが、実現の際には、タッチスクリーンのように入力と出力とが同時に実現される装置として実現される場合がある。
【００３６】
判断部１４０は、入力された映像信号の色域を判断する。具体的に、判断部１４０は、映像信号を提供するデバイスが変更されると、映像信号のフォーマット名称及び映像信号のカラー表示情報（例えば、ｓＲＧＢ標準情報）等に基づいて入力された映像信号の色域を判断することができる。例えば、入力された映像信号が放送信号フォーマットである場合、放送信号の標準色域はｓＲＧＢ色域であるため、判断部１４０は、入力された映像信号の色域がｓＲＧＢ色域であると判断する。
【００３７】
なお、判断部１４０は、映像信号を提供するデバイスの装置情報に基づいて色域を判断することもできる。ここで、装置情報は、デバイスの装置カテゴリ（例えば、セットトップボックス、ＤＶＤプレーヤ等）情報及び当該デバイスから出力する映像信号の色域情報である。例えば、映像信号を提供する装置がセットトップボックスと判断された場合、セットトップボックスは、放送信号フォーマットを提供する装置であり、放送信号の標準色域はｓＲＧＢ色域であるため、判断部１４０は入力された映像信号の色域がｓＲＧＢ色域であると判断する。
【００３８】
調整部１５０は、判断された色域に基づいてディスプレイ装置１００の色域（又は、表示パネル部１２０の色域、以下では、「ディスプレイ装置１００の色域」と称する）を調整する。具体的に、調整部１５０は、判断された色域が表示パネル部１２０がサポートする色域内にある場合、ディスプレイ１００の色域を判断された映像信号の色域に調整する。
【００３９】
例えば、赤色に対して表示パネルがサポートする色域が０〜１００であり、現在のディスプレイ装置１００に設定された赤色に対する色域が２０〜８０である状態で、入力された映像信号の赤色に対する色域が１０〜９０であれば、ディスプレイ装置１００の赤色に対する色域を１０〜９０に調整することができる。例示では、説明の便宜上、赤色に対する色域の調整動作のみを説明しているが、実現時にはＲ／Ｇ／Ｂ色の全てに対しても上述のような調整動作が行われる場合がある。
【００４０】
そして、調整部１５０は、設定された色域に応じてディスプレイ装置１００の色域を調整することができる。具体的に、調整部１５０は、操作部１３０を介してユーザから設定された色域にディスプレイ装置１００の色域を調整することができる。例えば、ディスプレイ装置１００の赤色に対する色域が２０〜８０である状態で、ユーザが色域を１５〜７５に調整した場合、調整部１５０はディスプレイ装置の赤色に対する色域を１５〜７５に調整することができる。
【００４１】
映像補正部１６０は、入力された映像信号に対してビデオデコード、ビデオスケーリング等の信号処理を行うことができる。
【００４２】
そして、映像補正部１６０は、入力された映像信号を調整された表示パネル部の色域に色相補正する。具体的に、映像補正部１６０は、ディスプレイ装置１００に設定された色域に応じて、入力された映像信号を色相補正することができる。映像補正部１６０の具体的な動作について、図３及び図４を参照して後述する。
【００４３】
制御部１７０は、ディスプレイ装置１００内の各構成を制御する。具体的に、制御部１７０は、信号入力部１１０を介して映像信号が入力されると、入力された映像信号に対する色域が判断されるように判断部１４０を制御することができる。そして、制御部１７０は、判断された色域に応じてディスプレイ装置１００の色域が調整されるように補正部１５０を制御し、調整された色域に応じて入力された映像信号に対する色相補正が行われるように映像補正部１６０を制御し、色相補正された映像信号が表示パネル部１２０に提供されて映像が表示されるように、表示パネル部１２０を制御することができる。
【００４４】
そして、制御部１７０は、操作部１３０から色域調整命令が入力されると、色域調整を受けるためのユーザインターフェースウィンドウが表示されるように表示パネル部１２０を制御し、操作部１３０から入力された色域がディスプレイ装置１００の色域に調整されるように調整部１５０を制御することができる。
【００４５】
以上のように、本実施形態に係るディスプレイ装置１００は入力された映像信号に応じて適応的にディスプレイ装置１００の色域を変更できるようになるため、映像信号の種類別に最適の画質を提供することができる。なお、ユーザは、ＲＧＢ数値を調整するのではなく、ディスプレイ装置の色域を直接調整することができるため、ユーザの利便性を高めることができる。
【００４６】
図２は、本発明の一実施形態に係るディスプレイ装置の動作を説明するための図である。
【００４７】
図２を参照すると、ディスプレイ装置１００は、多様な外部機器１０−１、１０−２、１０−３と接続可能である。ここで、外部機器１０−１、１０−２、１０−３は、異なるカラー基準によって、記憶又は生成した映像信号をディスプレイ装置１００に提供することができる。それにより、外部装置毎に提供する映像信号の色域を異なるようにする。
【００４８】
従って、本実施形態に係るディスプレイ装置１００は、接続された外部機器１０−１、１０−２、１０−３から当該装置の情報を受信したり、当該映像信号のフォーマット名称又はカラー標準情報に基づいて外部機器１０−１、１０−２、１０−３が伝送した映像信号の色域を判断する。
【００４９】
そして、判断された色域に応じてディスプレイ装置１００の色域を調整し、調整されたディスプレイ装置１００の色域に応じて入力された映像信号を表示することができる。
【００５０】
それにより、ディスプレイ装置１００は、入力された映像信号に最適化した色域に映像を表示することができる。
【００５１】
図３及び図４は、映像補正部の動作を説明するための図である。
【００５２】
図３を参照すると、二つの色域が表示される。その一方は、ディスプレイ装置１００の表示パネル部１２０がサポートする色域３１０であり、他方は、入力された映像信号がサポートする色域３２０である。従って、上述のように、調整部１５０は、ディスプレイ装置１００の色域を現在入力された映像信号の色域に調整することができる。
【００５３】
このとき、ディスプレイ装置１００の色域と表示パネル部１２０がサポートする色域とが異なるため、入力された映像信号に対する色相補正が必要である。例えば、表示パネル部１２０がサポートする色域が０〜１００か、ディスプレイ装置１００に設定された色域及び入力された映像信号の色域が２０〜８０である場合、映像補正部１６０は、表示パネル部１２０がサポートする色域とディスプレイ装置１００に設定された色域との間でマッピングを行い、行われたマッピング結果に基づいて入力された映像信号を色相補正することができる。即ち、入力信号の色相階調値を当該色相階調値に対応する表示パネル部１２０の階調値に変更し、変更された階調値を表示パネル部に提供することができる。
【００５４】
図４を参照すると、４つの色域が表示される。その一つは、ディスプレイ装置１００の表示パネル部１２０がサポートする色域３１０であり、もう一つは、セットトップボックスに提供する映像信号がサポートする色域３２０であり、もう一つは、携帯電話の提供する映像信号がサポートする色域３３０であり、最後の一つは、ビデオカメラがサポートする色域３４０である。
【００５５】
従って、調整部１５０は、映像信号が変更される度に、即ち、映像信号を提供するデバイスが変更されると、現在入力された映像信号の色域にディスプレイ装置１００の色域を調整し、映像補正部１６０は、ディスプレイ１００に設定された色域で入力された映像信号を色相補正することができる。
【００５６】
図５は、本発明の一実施形態に係るユーザインターフェースウィンドウの例を示す図である。
【００５７】
図５を参照すると、ユーザインターフェースウィンドウ５００は、第１乃至第４領域を含む。
【００５８】
第１領域５１０は、判断された色域及び表示パネル部の色域を表示する領域である。具体的に、第１領域５１０は、判断部１４０で判断された現在入力された映像信号の色域と表示パネル部１２０がサポートする色域とともに表示する領域である。
【００５９】
第２領域５２０は、現在の表示パネル部の色域によるプレビューイメージを表示する領域である。具体的に、第２領域５２０は、現在のディスプレイ装置１００に設定された色域に対応するプレビューイメージを表示する領域である。
【００６０】
第３領域５３０は、調整された色域による第２プレビューイメージを表示する領域である。具体的に、第３領域５３０は、ユーザの操作に応じて調整される色域に対応するプレビューイメージを表示する領域である。
【００６１】
第４領域５４０は、入力された映像信号に対する情報を表示する領域である。具体的に、第４領域５４０は、映像信号を提供する装置の情報又は映像信号の情報を表示する領域である。
【００６２】
従って、ユーザは、表示されたユーザインターフェースウィンドウ５００を介してディスプレイ装置１００の色域を調整することができる。ユーザが色域を調整した場合、調整部１５０は、ユーザが調整した色域をディスプレイ装置１００の色域を調整することができる。
【００６３】
図６は、本発明の一実施形態に係る映像表示方法を説明するためのフローチャートである。
【００６４】
図６を参照すると、まず、映像信号が入力される。ここで、映像信号は、放送局又は衛星から有線又は無線で伝達される放送信号であり、ＤＶＤプレーヤやブルーレイプレーヤ等からＨＤＭＩケーブルやＡＶ端子等を通じて伝達される映像コンテンツであり、携帯電話やコンピュータ等からＵＳＢ端子等を通じて伝達される映像コンテンツである場合がある。
【００６５】
そして、入力された映像信号の色域を判断する。具体的に、映像信号を提供するデバイスが変更されると、映像信号のフォーマット名称及び映像信号のカラー表示情報（例えば、ｓＲＧＢ標準情報）等に基づいて入力された映像信号の色域を判断することができる。又は、映像信号を提供するデバイスの装置情報に基づいて色域を判断することもできる。ここで、装置情報は、デバイスの装置カテゴリ（例えば、セットトップボックス、ＤＶＤプレーヤ等）情報及び当該デバイスから出力する映像信号の色域情報である。
【００６６】
そして、判断された色域に基づいて前記表示パネルの色域を調整する。具体的に、判断された色域が表示パネルがサポートする色域内にある場合、ディスプレイ装置１００の色域を判断された映像信号の色域に調整することができる。
【００６７】
そして、調整された表示パネルの色域で上記映像信号を表示する。具体的に、ディスプレイ装置１００に設定された色域に応じて、入力された映像信号を色相補正し、色相補正された映像信号を表示することができる。
【００６８】
従って、本実施形態に係る映像表示方法は、入力された映像信号に応じて適応的に、ディスプレイ装置１００の色域を変更できるようになるため、映像信号の種類別に最適の画質を提供することができる。図６のような映像表示方法は、図１の構成を有するディスプレイ装置上で実行され、その他の構成を有するディスプレイ装置上でも実行可能である。
【００６９】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例又は修正例に想到し得ることは明らかであり、これらについても、当然に本発明の技術的範囲に属するものと了解される。
【符号の説明】
【００７０】
１００：ディスプレイ装置
１１０：信号入力部
１２０：表示パネル部
１３０：操作部
１４０：判断部
１５０：調整部
１６０：映像補正部
１７０：制御部
【図１】
2013140353.tif 000003
【図２】
2013140353.tif 000004
【図３】
2013140353.tif 000005
【図４】
2013140353.tif 000006
【図５】
2013140353.tif 000007
【図６】
2013140353.tif 000008